(57)【要約】  表示出力されているユニット画像ＵＰのレイアウトを入力デバイス８０２のレイアウト操作により変更することができる。さらに、このようにユニット画像ＵＰのレイアウトが変更されると、そのレイアウト変更に対応した実際の作業負担が算出されて表示出力される。このため、例えば、販売店舗で利用しているユニットシステムの構造変更を実施するようなときに、そのフレームユニットの新規レイアウトを事前に簡単に検討することができるとともに、そのレイアウト変更の作業負担も事前に簡単に確認することができる。複数種類のユニット部材の任意の組み合わせで形成されるユニットシステムの効率的な構造変更を支援することができる構造のデータ処理装置を提供する。
2008108095.tif 000002
【特許請求の範囲】
【請求項１】
上下方向に連結されて左右方向に配列される複数種類のユニット部材の任意の組み合わせで形成されているユニットシステムの構造変更の支援に利用されるデータ処理装置であって、
各種データを表示画面に表示出力する表示デバイスと、
各種の入力操作を受け付ける入力デバイスと、
複数種類の前記ユニット部材ごとに各々の前面形状を所定の縮尺で模式したユニット画像が設定されているユニットデータを記憶しているユニット記憶部と、
前記ユニットシステムを形成している複数の前記ユニット部材のレイアウトデータを記憶するレイアウト記憶部と、
記憶されている前記レイアウトデータに対応したレイアウトで複数の前記ユニット画像を前記表示画面に表示出力させる画像表示部と、
表示出力されている前記ユニット画像の前記入力デバイスによるレイアウト操作を検知する操作検知部と、
検知されたレイアウト操作に対応して前記表示画面に表示出力されている前記ユニット画像をレイアウト変更するユニットレイアウト部と、
前記レイアウト変更に対応して前記ユニットシステムの構造変更の作業負担を算出する結果算出部と、
算出された前記作業負担を前記表示画面に表示出力する結果出力部と、
を有するデータ処理装置。
【請求項２】
前記ユニット記憶部は、複数種類の前記ユニット部材ごとに少なくとも各々の着脱の所用時間が前記作業負担として設定されている前記ユニットデータを記憶しており、
前記結果算出部は、レイアウトが変更された前記ユニット部材の合計の前記所用時間を前記作業負担として算出する請求項１に記載のデータ処理装置。
【請求項３】
前記ユニット記憶部は、複数種類の前記ユニット部材の組み合わせごとに着脱の所用時間が前記作業負担として設定されている前記ユニットデータを記憶しており、
前記結果算出部は、レイアウトが変更された前記ユニット部材の組み合わせの合計の前記所用時間を前記作業負担として算出する請求項１に記載のデータ処理装置。
【請求項４】
前記構造変更の予定時間の入力操作を受け付ける時間入力部と、
入力操作された前記予定時間を一時保持する時間保持部と、
算出された合計の前記所用時間が一時保持されている前記予定時間を超過すると警告を報知出力する警告報知部とを、
さらに有する請求項２または３に記載のデータ処理装置。
【請求項５】
前記構造変更の作業人数の入力操作を受け付ける人数入力部と、
入力操作された前記作業人数を一時保持する人数保持部とを、さらに有し、
前記結果算出部は、合計の前記所用時間を前記作業人数で除算する請求項２ないし４の何れか一項に記載のデータ処理装置。
【請求項６】
前記人数入力部は、所定の複数種類の前記作業人数の選択操作を受け付ける請求項５に記載のデータ処理装置。
【請求項７】
前記ユニット記憶部は、前記ユニット部材の種類ごとに少なくとも左右方向の占有寸法も設定されている前記ユニットデータを記憶し、
前記結果算出部は、前記ユニット画像のレイアウトに対応して左右方向の合計の前記占有寸法も算出し、
前記結果出力部は、算出された合計の前記占有寸法も前記表示画面に表示出力する請求項１ないし６の何れか一項に記載のデータ処理装置。
【請求項８】
左右方向の予定寸法の入力操作を受け付ける左右入力部と、
入力操作された前記予定寸法を一時保持する左右保持部と、
算出された合計の前記占有寸法が一時保持されている前記予定寸法を超過すると警告を報知出力する警告報知部とを、
さらに有する請求項７に記載のデータ処理装置。
【請求項９】
前記ユニット記憶部は、前記ユニット部材の種類ごとに少なくとも上下方向の占有寸法も設定されている前記ユニットデータを記憶し、
前記結果算出部は、前記ユニット画像のレイアウトに対応して上下方向の合計の前記占有寸法も算出し、
前記結果出力部は、算出された合計の前記占有寸法も前記表示画面に表示出力する請求項１ないし８の何れか一項に記載のデータ処理装置。
【請求項１０】
上下方向の予定寸法の入力操作を受け付ける上下入力部と、
入力操作された前記予定寸法を一時保持する上下保持部と、
算出された合計の前記占有寸法が一時保持されている前記予定寸法を超過すると警告を報知出力する警告報知部とを、
さらに有する請求項９に記載のデータ処理装置。
【請求項１１】
前記ユニット記憶部は、前記ユニットシステムの上下方向の許容寸法も記憶しており、
算出された合計の前記占有寸法が記憶されている前記許容寸法を超過すると警告を報知出力する警告報知部を、さらに有する請求項９または１０に記載のデータ処理装置。
【請求項１２】
作業者の身長の入力操作を受け付ける身長入力部と、
入力操作された前記身長を一時保持する身長保持部と、
一時保持された前記身長から上下方向の適正寸法を算出する適正算出部と、
算出された合計の前記占有寸法が算出された前記適正寸法を超過すると警告を報知出力する警告報知部とを、
さらに有する請求項９ないし１１の何れか一項に記載のデータ処理装置。
【請求項１３】
前記ユニット記憶部は、前記ユニット画像と同一の縮尺で人間の前面形状を模式した人型画像も記憶し、
前記画像表示部は、前記人型画像も前記表示画面に表示出力させ、
前記操作検知部は、前記人型画像のレイアウト操作も検知し、
前記ユニットレイアウト部は、検知されたレイアウト操作に対応して前記人型画像をレイアウトされている前記ユニット画像の前面ないし側方にレイアウトする請求項１ないし１２の何れか一項に記載のデータ処理装置。
【請求項１４】
前記ユニット記憶部は、前記人間の上肢を模式した上肢部分が前記人間の肩部に相当する位置を中心に回動自在な前記人型画像を記憶し、
前記操作検知部は、表示出力されている前記人型画像の上肢部分を回動させる入力操作も検知する請求項１３に記載のデータ処理装置。
【請求項１５】
作業者の身長の入力操作を受け付ける身長入力部と、
入力操作された前記身長を一時保持する身長保持部と、
一時保持された前記身長に対応して前記表示画面に表示出力される前記人型画像の縮尺を調整する人型調整部とを、
さらに有する請求項１３または１４に記載のデータ処理装置。
【請求項１６】
複数種類の前記ユニット部材は、上下方向に連結できる組み合わせと連結できない組み合わせとがあり、
前記ユニット記憶部は、前記ユニット部材の種類ごとに上下方向に連結できる組み合わせが設定されている前記ユニットデータを記憶し、
前記ユニットレイアウト部は、上下方向に連結できない組み合わせのレイアウト操作を無効とし、
前記ユニット画像が上下方向に連結できない組み合わせでレイアウト操作されると警告を報知出力する警告報知部を、さらに有する請求項１ないし１５の何れか一項に記載のデータ処理装置。
【請求項１７】
前記ユニットシステムには、組み合された前記ユニット部材の内部や外部に配置される複数種類の宣伝部材もあり、
前記ユニット記憶部は、複数種類の前記宣伝部材ごとに前面形状を前記ユニット画像と同一の縮尺で模式した宣伝部材画像が設定されている宣伝部材データも記憶し、
前記レイアウト記憶部は、前記ユニットシステムを形成している前記ユニット部材と前記宣伝部材とのレイアウトデータを記憶し、
前記画像表示部は、記憶されている前記レイアウトデータに対応したレイアウトで前記ユニット画像と前記宣伝部材画像とを前記表示画面に表示出力させ、
前記操作検知部は、表示出力されている前記ユニット画像と前記宣伝部材画像との前記入力デバイスによるレイアウト操作を検知し、
前記ユニットレイアウト部は、検知されたレイアウト操作に対応して前記表示画面に表示出力されている前記ユニット画像と前記宣伝部材画像とのレイアウトを変更し、
前記結果算出部は、前記ユニット画像と前記宣伝部材画像との前記レイアウト変更に対応して前記作業負担を算出する請求項１ないし１６の何れか一項に記載のデータ処理装置。
【請求項１８】
前記ユニットシステムは、カウンタの上面に設置されて商品を前記ユニット部材ごとに収容しながら陳列する商品陳列システムであり、
前記ユニット記憶部は、前記ユニット画像と同一の縮尺で前記カウンタの前面形状を模式したカウンタ画像も記憶しており、
前記画像表示部は、前記カウンタ画像も前記表示画面に表示出力させ、
前記ユニットレイアウト部は、検知されたレイアウト操作に対応して前記ユニット画像を前記カウンタ画像の上部にレイアウトする請求項１ないし１７の何れか一項に記載のデータ処理装置。
【請求項１９】
前記ユニットシステムは、少なくとも一部が定型サイズの商品を前記ユニット部材ごとに収容しながら陳列する商品陳列システムであり、
前記ユニット部材は、種類ごとに前記定型サイズの前記商品の陳列状態が規定されており、
複数種類の前記ユニット部材の少なくとも一部は、複数種類の前記陳列状態が規定されており、
前記ユニット記憶部は、複数種類の前記陳列状態を模式した複数種類の前記ユニット画像を記憶する請求項１ないし１８の何れか一項に記載のデータ処理装置。
【請求項２０】
前記商品がタバコパックからなる請求項１８または１９に記載のデータ処理装置。
【請求項２１】
上下方向に連結されて左右方向に配列される複数のユニット部材を有するユニットシステムの構造変更の支援に利用されるウェブサイトをインターネットによりユーザ端末装置に提供するデータ処理装置であって、
複数種類の前記ユニット部材ごとに各々の前面形状を所定の縮尺で模式したユニット画像が設定されているユニットデータを記憶するユニット記憶部と、
前記ユニットシステムを形成している複数の前記ユニット部材のレイアウトデータを作業者ごとに記憶するレイアウト記憶部と、
前記ウェブサイトを閲覧する前記ユーザ端末装置による前記作業者のログインを受け付けるログイン受付部と、
ログインされた前記作業者の前記レイアウトデータに対応したレイアウトで複数の前記ユニット画像を前記ウェブサイトの表示画面に表示出力させる画像表示部と、
表示出力されている前記ユニット画像の前記ユーザ端末装置によるレイアウト操作を検知する操作検知部と、
検知されたレイアウト操作に対応して前記表示画面に表示出力される前記ユニット画像をレイアウト変更するユニットレイアウト部と、
前記レイアウト変更に対応して前記ユニットシステムの構造変更の作業負担を算出する結果算出部と、
算出された前記作業負担を前記表示画面に表示出力する結果出力部と、
を有するデータ処理装置。
【請求項２２】
各種データを表示画面に表示出力する表示デバイスと、各種の入力操作を受け付ける入力デバイスと、を有し、上下方向に連結されて左右方向に配列される複数種類のユニット部材の任意の組み合わせで形成されているユニットシステムの構造変更の支援に利用されるデータ処理装置のためのコンピュータプログラムであって、
複数種類の前記ユニット部材ごとに各々の前面形状を所定の縮尺で模式したユニット画像が設定されているユニットデータを記憶しているユニット記憶処理と、
前記ユニットシステムを形成している複数の前記ユニット部材のレイアウトデータを記憶するレイアウト記憶処理と、
記憶されている前記レイアウトデータに対応したレイアウトで複数の前記ユニット画像を前記表示画面に表示出力させる画像表示処理と、
表示出力されている前記ユニット画像の前記入力デバイスによるレイアウト操作を検知する操作検知処理と、
検知されたレイアウト操作に対応して前記表示画面に表示出力されている前記ユニット画像をレイアウト変更するユニットレイアウト処理と、
前記レイアウト変更に対応して前記ユニットシステムの構造変更の作業負担を算出する結果算出処理と、
算出された前記作業負担を前記表示画面に表示出力する結果出力処理と、
を前記データ処理装置に実行させるコンピュータプログラム。
【請求項２３】
上下方向に連結されて左右方向に配列される複数のユニット部材を有するユニットシステムの構造変更の支援に利用されるウェブサイトをインターネットによりユーザ端末装置に提供するデータ処理装置のためのコンピュータプログラムであって、
複数種類の前記ユニット部材ごとに各々の前面形状を所定の縮尺で模式したユニット画像が設定されているユニットデータを記憶するユニット記憶処理と、
前記ユニットシステムを形成している複数の前記ユニット部材のレイアウトデータを作業者ごとに記憶するレイアウト記憶処理と、
前記ウェブサイトを閲覧する前記ユーザ端末装置による前記作業者のログインを受け付けるログイン受付処理と、
ログインされた前記作業者の前記レイアウトデータに対応したレイアウトで複数の前記ユニット画像を前記ウェブサイトの表示画面に表示出力させる画像表示処理と、
表示出力されている前記ユニット画像の前記ユーザ端末装置によるレイアウト操作を検知する操作検知処理と、
検知されたレイアウト操作に対応して前記表示画面に表示出力される前記ユニット画像をレイアウト変更するユニットレイアウト処理と、
前記レイアウト変更に対応して前記ユニットシステムの構造変更の作業負担を算出する結果算出処理と、
算出された前記作業負担を前記表示画面に表示出力する結果出力処理と、
を前記データ処理装置に実行させるコンピュータプログラム。
【請求項２４】
各種データを表示画面に表示出力する表示デバイスと、各種の入力操作を受け付ける入力デバイスと、を有し、上下方向に連結されて左右方向に配列される複数種類のユニット部材の任意の組み合わせで形成されているユニットシステムの構造変更の支援に利用されるデータ処理装置のためのデータ記憶媒体であって、
複数種類の前記ユニット部材ごとに各々の前面形状を所定の縮尺で模式したユニット画像が設定されているユニットデータを記憶しているユニット記憶処理と、
前記ユニットシステムを形成している複数の前記ユニット部材のレイアウトデータを記憶するレイアウト記憶処理と、
記憶されている前記レイアウトデータに対応したレイアウトで複数の前記ユニット画像を前記表示画面に表示出力させる画像表示処理と、
表示出力されている前記ユニット画像の前記入力デバイスによるレイアウト操作を検知する操作検知処理と、
検知されたレイアウト操作に対応して前記表示画面に表示出力されている前記ユニット画像をレイアウト変更するユニットレイアウト処理と、
前記レイアウト変更に対応して前記ユニットシステムの構造変更の作業負担を算出する結果算出処理と、
算出された前記作業負担を前記表示画面に表示出力する結果出力処理と、
を前記データ処理装置に実行させるコンピュータプログラムが記録されているデータ記憶媒体。
【請求項２５】
上下方向に連結されて左右方向に配列される複数のユニット部材を有するユニットシステムの構造変更の支援に利用されるウェブサイトをインターネットによりユーザ端末装置に提供するデータ処理装置のためのデータ記憶媒体であって、
複数種類の前記ユニット部材ごとに各々の前面形状を所定の縮尺で模式したユニット画像が設定されているユニットデータを記憶するユニット記憶処理と、
前記ユニットシステムを形成している複数の前記ユニット部材のレイアウトデータを作業者ごとに記憶するレイアウト記憶処理と、
前記ウェブサイトを閲覧する前記ユーザ端末装置による前記作業者のログインを受け付けるログイン受付処理と、
ログインされた前記作業者の前記レイアウトデータに対応したレイアウトで複数の前記ユニット画像を前記ウェブサイトの表示画面に表示出力させる画像表示処理と、
表示出力されている前記ユニット画像の前記ユーザ端末装置によるレイアウト操作を検知する操作検知処理と、
検知されたレイアウト操作に対応して前記表示画面に表示出力される前記ユニット画像をレイアウト変更するユニットレイアウト処理と、
前記レイアウト変更に対応して前記ユニットシステムの構造変更の作業負担を算出する結果算出処理と、
算出された前記作業負担を前記表示画面に表示出力する結果出力処理と、
を前記データ処理装置に実行させるコンピュータプログラムが記録されているデータ記憶媒体。
【発明の詳細な説明】
【技術分野】
【０００１】
本発明は、上下方向に連結されて左右方向に配列される複数種類のユニット部材の任意の組み合わせで形成されるユニットシステムの構造変更の支援に利用されるデータ処理装置と、商品陳列システムの構造変更の支援に利用されるウェブサイトをインターネットによりユーザ端末装置に提供するデータ処理装置と、これらのデータ処理装置に利用されるコンピュータプログラムと、このコンピュータプログラムが格納されているデータ記憶媒体と、に関する。
【背景技術】
【０００２】
現在、いわゆるコンビニエンスストアなどの販売店舗では、例えば、商品としてタバコパックを陳列して販売している。なお、ここで云うタバコパックとは、実際に喫煙される複数の紙巻タバコを、直方体状のパッケージに収容した商品を意味している。【０００３】
そこで、タバコパックを陳列する商品陳列システムは、例えば、複数のマガジンユニットと一個のシステムフレームからなる。マガジンユニットは、例えば、無色透明な樹脂により、前後方向に細長い上面開口のボックス状に形成されている。マガジンユニットは、立設された状態のタバコパックが前後方向に配列された状態で上方から収容される。【０００４】
システムフレームは、複数のマガジンユニットを上下左右に配列して保持する。このため、従来の商品陳列システムは、タバコパックを上下左右に配列して陳列することができる。【０００５】
タバコパックなどの商品の販売を促進する上で、魅力ある売場構築は重要な要素である。売場構築を考えるにあたっては、種々の要素を考慮する必要があるが、特に商品を陳列する場所の大きさは、重要な因子となる。【０００６】
商品の売場として、従来は、ショッピングモールや量販店等の広大な売場が主流であった。しかし、近年では、流通形態の変化により、コンビニエンスストアのような狭小な売場が大幅に増加してきている。【０００７】
こうした狭小な売場においては、限られたスペースで如何に最大の顧客訴求効果を得るかが、販売戦略上の最重要テーマとなる。しかしながら、従来、こうした狭小な売場において、優れた顧客訴求効果の得られる売場構築は、あまり充分に検討されることはなかった。また、販売店舗に導入される商品陳列システムは定型のものが多く、売場構築の工夫をするにも限界があった。【０００８】
特に、コンビニエンスストアのような狭小な販売店舗では、商品陳列システムを設置する売場スペースを確保するのが精一杯であるうえ、短時間で設置作業を完了させることが求められるため、顧客訴求効果および売場構築への寄与といった観点から商品陳列システムが開発された例はほとんどなかった。
【特許文献１】特開２００４−１５１９５５号公報
【発明の開示】
【０００９】
そこで、上述のような課題を解決するため、本出願人は過去にユニット構造の商品陳列システムを発明し、特願２００６−２６６６２５号として出願した。その商品陳列システムでは、複数種類のユニット部材が任意の組み合わせで上下方向に連結されて左右方向に配列される。
【００１０】
このため、狭小な販売店舗でも、簡単に搬入して迅速に設置することができる。さらに、設置場所にもタバコパックの陳列形態にも柔軟性があるので、訴求効果が高い売場を演出するようなことができる。
【００１１】
特に、上記の商品陳列システムは、販売店舗に導入してからも、そのユニット部材の組換作業により構造を変更することができる。このため、販売店舗や売場のリニューアルなどにも柔軟に対処することができる。
【００１２】
しかしながら、上述の商品陳列システムは余りにも自由度が高いため、そのユニット部材の組み合わせは膨大である。このため、商品陳列システムのユニット部材を組み換える販売店舗の作業者は、新規の組み合わせの決定に苦慮する可能性がある。
【００１３】
さらに、上述の商品陳列システムは、ユニット部材の組換作業により左右方向や上下方向の寸法も自由に変更できる。このため、売場をリニューアルするような場合、その占有寸法も考慮して商品陳列システムを構造変更することが必要な場合がある。このため、さらにユニット部材の最適な組み合わせの決定に苦慮する可能性がある。
【００１４】
しかも、上述のように商品陳列システムなどのユニットシステムを構造変更する場合、その作業は日常的なものではない。現在の販売店舗などでは、各種の業務ごとに作業負担を考慮し、作業者の人数や作業時間を詳細に調整している。
【００１５】
しかし、商品陳列システムの構造変更などは、非日常的な作業であるため、その作業負担を事前に確認することが困難である。このため、実際に作業を開始しても、予定時間までに完了しないような事態が発生することがある。
【００１６】
特に、コンビニエンスストアなどの販売店舗は２４時間営業の場合もある。このような販売店舗では、例えば、顧客が最少となる時間に商品陳列システムの構造変更などを実施することになる。
【００１７】
一方、コンビニエンスストアなどの販売店舗は、営業時間が極めて長時間である反面、作業者の人数は極めて少人数とされている。このため、商品陳列システムの構造変更を所定時間で実行するような場合でも、無闇に多人数の作業者を動員することはできない。
【００１８】
従って、コンビニエンスストアなどの販売店舗で商品陳列システムの構造変更を実行する場合、何人の作業者で実行すれば何時間で完了するかを、事前に確認できることは極めて重要である。
【００１９】
前述した特許文献１のように、理想的な売場構築を目的として、システムフレームなどの什器にタバコパックなどの商品を如何に陳列するかをシミュレートする提案は従来からある。しかし、特許文献１の技術は、構造が固定されている什器に商品を如何に陳列するかしかシミュレートすることができない。
【００２０】
このため、特許文献１の技術では、構造が様々に変化する商品陳列システムのユニット部材の組換作業をシミュレートすることはできない。従って、理想的な売場を構築することはできない。
【００２１】
本発明は上述のような課題に鑑みてなされたものであり、複数種類のユニット部材の任意の組み合わせで形成されるユニットシステムの効率的な構造変更を支援することができる構造のデータ処理装置を提供するものである。
【００２２】
本発明の第一のデータ処理装置は、上下方向に連結されて左右方向に配列される複数種類のユニット部材の任意の組み合わせで形成されているユニットシステムの構造変更の支援に利用されるデータ処理装置であって、各種データを表示画面に表示出力する表示デバイスと、各種の入力操作を受け付ける入力デバイスと、複数種類のユニット部材ごとに各々の前面形状を所定の縮尺で模式したユニット画像が設定されているユニットデータを記憶しているユニット記憶部と、ユニットシステムを形成している複数のユニット部材のレイアウトデータを記憶するレイアウト記憶部と、記憶されているレイアウトデータに対応したレイアウトで複数のユニット画像を表示画面に表示出力させる画像表示部と、表示出力されているユニット画像の入力デバイスによるレイアウト操作を検知する操作検知部と、検知されたレイアウト操作に対応して表示画面に表示出力されているユニット画像をレイアウト変更するユニットレイアウト部と、レイアウト変更に対応してユニットシステムの構造変更の作業負担を算出する結果算出部と、算出された作業負担を表示画面に表示出力する結果出力部と、を有する。
【００２３】
従って、本発明のデータ処理装置では、事前に登録されているレイアウトデータに対応して複数のユニット画像がレイアウトされて表示出力される。そして、このように表示出力されているユニット画像のレイアウトを入力デバイスのレイアウト操作により変更することができる。さらに、このようにユニット画像のレイアウトが変更されると、そのレイアウト変更に対応した実際の作業負担が算出されて表示出力される。このため、例えば、販売店舗で利用している商品販売システムなどのユニットシステムの構造変更を実施するようなときに、そのユニット部材の新規レイアウトを事前に簡単に検討することができるとともに、そのレイアウト変更の作業負担も事前に簡単に確認することができる。
【００２４】
本発明の第二のデータ処理装置は、上下方向に連結されて左右方向に配列される複数のユニット部材を有するユニットシステムの構造変更の支援に利用されるウェブサイトをインターネットによりユーザ端末装置に提供するデータ処理装置であって、複数種類のユニット部材ごとに各々の前面形状を所定の縮尺で模式したユニット画像が設定されているユニットデータを記憶するユニット記憶部と、ユニットシステムを形成している複数のユニット部材のレイアウトデータを作業者ごとに記憶するレイアウト記憶部と、ウェブサイトを閲覧するユーザ端末装置による作業者のログインを受け付けるログイン受付部と、ログインされた作業者のレイアウトデータに対応したレイアウトで複数のユニット画像をウェブサイトの表示画面に表示出力させる画像表示部と、表示出力されているユニット画像のユーザ端末装置によるレイアウト操作を検知する操作検知部と、検知されたレイアウト操作に対応して表示画面に表示出力されるユニット画像をレイアウト変更するユニットレイアウト部と、レイアウト変更に対応してユニットシステムの構造変更の作業負担を算出する結果算出部と、算出された作業負担を表示画面に表示出力する結果出力部と、を有する。
【００２５】
従って、本発明のデータ処理装置では、ユーザ端末装置により閲覧されるウェブサイトをインターネットに開設することができ、そのウェブサイトに利用者はユーザ端末装置によりログインすることができる。すると、その利用者により事前に登録されているレイアウトデータに対応して、複数のユニット画像がレイアウトされてウェブサイトに表示出力される。そして、このように表示出力されているユニット画像のレイアウトを、利用者はユーザ端末装置により変更することができる。さらに、このようにユニット画像のレイアウトが変更されると、そのレイアウト変更に対応した実際の作業負担が算出されて表示出力される。このため、例えば、販売店舗で利用している商品販売システムなどのユニットシステムの構造変更を実施するようなときに、そのユニット部材の新規レイアウトを事前に簡単に検討することができるとともに、そのレイアウト変更の作業負担も事前に簡単に確認することができる。
【００２６】
本発明の第一のコンピュータプログラムは、各種データを表示画面に表示出力する表示デバイスと、各種の入力操作を受け付ける入力デバイスと、を有し、上下方向に連結されて左右方向に配列される複数種類のユニット部材の任意の組み合わせで形成されているユニットシステムの構造変更の支援に利用されるデータ処理装置のためのコンピュータプログラムであって、複数種類のユニット部材ごとに各々の前面形状を所定の縮尺で模式したユニット画像が設定されているユニットデータを記憶しているユニット記憶処理と、ユニットシステムを形成している複数のユニット部材のレイアウトデータを記憶するレイアウト記憶処理と、記憶されているレイアウトデータに対応したレイアウトで複数のユニット画像を表示画面に表示出力させる画像表示処理と、表示出力されているユニット画像の入力デバイスによるレイアウト操作を検知する操作検知処理と、検知されたレイアウト操作に対応して表示画面に表示出力されているユニット画像をレイアウト変更するユニットレイアウト処理と、レイアウト変更に対応してユニットシステムの構造変更の作業負担を算出する結果算出処理と、算出された作業負担を表示画面に表示出力する結果出力処理と、をデータ処理装置に実行させる。
【００２７】
本発明の第二のコンピュータプログラムは、上下方向に連結されて左右方向に配列される複数のユニット部材を有するユニットシステムの構造変更の支援に利用されるウェブサイトをインターネットによりユーザ端末装置に提供するデータ処理装置のためのコンピュータプログラムであって、複数種類のユニット部材ごとに各々の前面形状を所定の縮尺で模式したユニット画像が設定されているユニットデータを記憶するユニット記憶処理と、ユニットシステムを形成している複数のユニット部材のレイアウトデータを作業者ごとに記憶するレイアウト記憶処理と、ウェブサイトを閲覧するユーザ端末装置による作業者のログインを受け付けるログイン受付処理と、ログインされた作業者のレイアウトデータに対応したレイアウトで複数のユニット画像をウェブサイトの表示画面に表示出力させる画像表示処理と、表示出力されているユニット画像のユーザ端末装置によるレイアウト操作を検知する操作検知処理と、検知されたレイアウト操作に対応して表示画面に表示出力されるユニット画像をレイアウト変更するユニットレイアウト処理と、レイアウト変更に対応してユニットシステムの構造変更の作業負担を算出する結果算出処理と、算出された作業負担を表示画面に表示出力する結果出力処理と、をデータ処理装置に実行させる。
【００２８】
本発明の第一のデータ記憶媒体は、各種データを表示画面に表示出力する表示デバイスと、各種の入力操作を受け付ける入力デバイスと、を有し、上下方向に連結されて左右方向に配列される複数種類のユニット部材の任意の組み合わせで形成されているユニットシステムの構造変更の支援に利用されるデータ処理装置のためのデータ記憶媒体であって、複数種類のユニット部材ごとに各々の前面形状を所定の縮尺で模式したユニット画像が設定されているユニットデータを記憶しているユニット記憶処理と、ユニットシステムを形成している複数のユニット部材のレイアウトデータを記憶するレイアウト記憶処理と、記憶されているレイアウトデータに対応したレイアウトで複数のユニット画像を表示画面に表示出力させる画像表示処理と、表示出力されているユニット画像の入力デバイスによるレイアウト操作を検知する操作検知処理と、検知されたレイアウト操作に対応して表示画面に表示出力されているユニット画像をレイアウト変更するユニットレイアウト処理と、レイアウト変更に対応してユニットシステムの構造変更の作業負担を算出する結果算出処理と、算出された作業負担を表示画面に表示出力する結果出力処理と、をデータ処理装置に実行させるコンピュータプログラムが記録されている。
【００２９】
本発明の第二のデータ記憶媒体は、上下方向に連結されて左右方向に配列される複数のユニット部材を有するユニットシステムの構造変更の支援に利用されるウェブサイトをインターネットによりユーザ端末装置に提供するデータ処理装置のためのデータ記憶媒体であって、複数種類のユニット部材ごとに各々の前面形状を所定の縮尺で模式したユニット画像が設定されているユニットデータを記憶するユニット記憶処理と、ユニットシステムを形成している複数のユニット部材のレイアウトデータを作業者ごとに記憶するレイアウト記憶処理と、ウェブサイトを閲覧するユーザ端末装置による作業者のログインを受け付けるログイン受付処理と、ログインされた作業者のレイアウトデータに対応したレイアウトで複数のユニット画像をウェブサイトの表示画面に表示出力させる画像表示処理と、表示出力されているユニット画像のユーザ端末装置によるレイアウト操作を検知する操作検知処理と、検知されたレイアウト操作に対応して表示画面に表示出力されるユニット画像をレイアウト変更するユニットレイアウト処理と、レイアウト変更に対応してユニットシステムの構造変更の作業負担を算出する結果算出処理と、算出された作業負担を表示画面に表示出力する結果出力処理と、をデータ処理装置に実行させるコンピュータプログラムが記録されている。
【００３０】
なお、本発明では上下以外に前後左右の方向も規定しているが、これは本発明の構成要素の相対関係を簡単に説明するために便宜的に規定したものであり、本発明を実施する場合の製造時や使用時の方向を限定するものではない。
【００３１】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００３２】
さらに、本発明で云う「データを記憶する」とは、本発明の装置が、少なくともデータを記憶する機能を有することを意味している。このため、本発明の装置がコンシューマにより新規に登録されるデータを記憶することの他、サプライヤにより製造時に登録されたデータを記憶して出荷後にはコンシューマにより新規のデータが登録されないことも許容する。
【００３３】
本発明のデータ処理装置では、表示出力されているユニット画像のレイアウトを入力デバイスのレイアウト操作により変更することができる。さらに、このようにユニット画像のレイアウトが変更されると、そのレイアウト変更に対応した実際の作業負担が算出されて表示出力される。このため、例えば、販売店舗で利用している商品販売システムなどのユニットシステムの構造変更を実施するようなときに、そのユニット部材の新規レイアウトを事前に簡単に検討することができるとともに、そのレイアウト変更の作業負担も事前に簡単に確認することができる。このため、販売店舗の売場リニューアルのためにユニットシステムの組換作業を実行するような場合でも、何人の作業者で実行すれば何時間で完了するかなどを事前に確認することができ、ユニットシステムの効率的な構造変更を支援することができる。
【図面の簡単な説明】
【００３４】
上述した目的、および、その他の目的、特徴および利点は、以下に述べる好適な実施の形態、および、それに付随する以下の図面によって、さらに明らかになる。
【図１】本発明の実施の形態のデータ処理装置の論理構造を示す模式図である。
【図２】データ処理装置の物理構造を示すブロック図である。
【図３】データ処理装置の表示デバイスの表示画面での表示画像を示す模式図である。
【図４】ユニットシステムであるタバコ陳列システムの外観を示す斜視図である。
【図５】タバコ陳列システムの要部の構造を示す分解斜視図である。
【図６】ストッカユニットを使用したタバコ陳列システムの外観を示す斜視図である。
【図７】タバコ陳列システムのメッシュユニットを示す分解斜視図である。
【図８】四種類のユニット画像を示す模式図である。
【図９】さらに二種類のユニット画像を示す模式図である。
【図１０】さらに二種類のユニット画像を示す模式図である。
【図１１】さらに四種類のユニット画像を示す模式図である。
【図１２】さらに二種類のユニット画像を示す模式図である。
【図１３】カウンタ画像を示す模式図である。
【図１４】人型画像を示す模式図である。
【図１５】コンピュータプログラムの論理構造を示す模式図である。
【図１６】データ処理装置の処理動作の前半部分を示すフローチャートである。
【図１７】後半部分を示すフローチャートである。
【図１８】他のタバコ陳列システムの外観を示す斜視図である。
【図１９】タバコ陳列システムの要部の構造を示す分解斜視図である。
【図２０】さらに他のタバコ陳列システムを示す分解斜視図である。
【図２１】さらに他のデータ処理装置の論理構造を示す模式図である。
【発明を実施するための最良の形態】
【００３５】
本発明の実施の一形態を図面を参照して以下に説明する。本実施の形態のデータ処理装置８００は、詳細には後述するが、上下方向に連結されて左右方向に配列される複数種類のユニット部材であるフレームユニット３００の任意の組み合わせで形成されるユニットシステムであるタバコ陳列システム１０００の構造変更を支援するために利用される。【００３６】
データ処理装置８００は、図１に示すように、各種データを表示画面に表示出力する表示デバイス８０１、各種の入力操作を受け付ける入力デバイス８０２、各種のデータ処理を実行するコンピュータユニット８０３、等をハードウェアとして有する。【００３７】
より詳細には、このコンピュータユニット８０３は、図２に示すように、各種のデータ処理を実行するＣＰＵ(Central Processing Unit)８３１、各種データを固定的に記憶しているＲＯＭ(Read Only Memory)８３２、各種データを一時保持するＲＡＭ(Random Access Memory)８３３、等を有し、これらがバスライン８３４で接続されている。【００３８】
さらに、このバスライン８３４には、大容量の各種データを記憶するＨＤＤ(Hard Disc Drive)８４１、データカード８５１が着脱自在に装填されるカードリーダ８４２、ＣＤ−Ｒ(Compact Disc-Recordable)８５２が着脱自在に装填されるＣＤドライブ８４３、入力デバイス８０２であるキーボード８４４、入力デバイス８０２であるマウス８４５、ＬＣＤ(Liquid Crystal Display)等からなる表示デバイス８０１、Ｉ／Ｆ(Interface)ユニット８４６、等のハードウェアが接続されている。【００３９】
本実施の形態のデータ処理装置８００では、ＲＯＭ８３２、ＲＡＭ８３３、ＨＤＤ８４１、着脱自在なデータカード８５１、着脱自在なＣＤ−Ｒ８５２、等がデータ記憶媒体に相当し、詳細には後述するが、これらの少なくとも一個にＣＰＵ８３１のための各種のコンピュータプログラム８６０が格納されている。【００４０】
このコンピュータプログラム８６０や入力デバイス８０２の入力データなどに対応して、データ処理装置８００は、表示デバイス８０１による画像表示などの各種のデータ処理を実行する。【００４１】
このため、データ処理装置８００は、各種データを表示画面に表示出力する表示デバイス８０１と、各種の入力操作を受け付ける入力デバイス８０２と、複数種類のフレームユニット３００等ごとに各々の前面形状を所定の縮尺で模式したユニット画像ＵＰが設定されているユニットデータを記憶しているユニット記憶部であるデータ記憶部８１０と、タバコ陳列システム１０００を形成している複数のフレームユニット３００等のレイアウトデータＬＤを記憶するレイアウト記憶部８１１と、記憶されているレイアウトデータＬＤに対応したレイアウトで複数のユニット画像ＵＰを表示画面に表示出力させる画像表示部８１２と、表示出力されているユニット画像ＵＰの入力デバイス８０２によるレイアウト操作を検知する操作検知部８１３と、検知されたレイアウト操作に対応して表示画面に表示出力されているユニット画像ＵＰをレイアウト変更するユニットレイアウト部８１４と、レイアウト変更に対応してタバコ陳列システム１０００の構造変更の作業負担を算出する結果算出部８１６と、算出された作業負担を表示画面に表示出力する結果出力部８１７と、を論理的に有する。【００４２】
より具体的には、本実施の形態のデータ処理装置８００でフレームユニット３００のレイアウトがシミュレートされるタバコ陳列システム１０００は、図４に示すように、前後方向に細長い上面開口のボックス状に形成されていて前後方向に配列された複数のタバコパックＴＰを保持する形状の複数のマガジンユニット１００と、上面開口のボックス状に形成されていて左右方向に配列された複数のマガジンユニット１００を着脱自在に保持する形状の複数のトレーユニット２００と、前面開口のボックス状に形成されていて上下方向に離間した配置で複数のトレーユニット２００を着脱自在に保持する形状の複数のフレームユニット３００と、複数のフレームユニット３００を上下方向に連結する上下連結機構と、を有する。【００４３】
タバコ陳列システム１０００は、商品であるタバコパックＴＰ、複数のタバコパックＴＰがパックされた商品であるタバコカートンＴＫ、タバコパックＴＰがオマケとともに梱包された商品であるボックスパックＢＰ、等を陳列する。なお、このボックスパックＢＰは、例えば、厚紙で形成された簡易什器ＥＦとともに販売店舗に提供される。【００４４】
現在、タバコパックＴＰは、上下寸法に多少の高低はあるものの、一般的に前後左右の寸法が共通した定型の直方体状に形成されている。そして、本実施の形態では、タバコパックＴＰの最大面を前面および後面、最小面を上面および下面、と規定する。【００４５】
なお、通常のタバコパックＴＰは前面(および後面)に銘柄などが表記されている。このため、その前面が前方に位置する適正な方向の状態で陳列されることが好ましい。そして、マガジンユニット１００は、図５に示すように、上述のように方向が適正な状態の複数のタバコパックＴＰを前後方向に配列した状態で収容する。【００４６】
トレーユニット２００も、上面が開口したボックス状に無色透明な樹脂で形成されている。トレーユニット２００には、複数のマガジンユニット１００が左右方向に配列された状態で収容される。【００４７】
ただし、本実施の形態のタバコ陳列システム１０００では、図４に示すように、マガジンユニット１００を五個収容する幅広のトレーユニット２００と三個収容する幅狭のトレーユニット２００とがある。【００４８】
フレームユニット３００は、図５に示すように、一対の本体フレーム３１０と複数の支持フレーム３２０からなる。本体フレーム３１０は、前面形状が矩形の枠状となるように曲折された金属の板材からなり、一対が前後方向に配列されている。【００４９】
支持フレーム３２０は、トレーユニット２００を支持する前後方向に細長いレール状に形成された金属の板材からなり、複数が上下方向に配列されて一対の本体フレーム３１０の内側面に接合されている。【００５０】
ただし、トレーユニット２００は、前述のように二種類の左右寸法がある。そこで、本実施の形態のタバコ陳列システム１０００では、図４に示すように、左右寸法が大きいトレーユニット２００を三個保持するフレームユニット３００、左右寸法が大きいトレーユニット２００を二個保持するフレームユニット３００、左右寸法が小さいトレーユニット２００を三個保持するフレームユニット３００、左右寸法が小さいトレーユニット２００を二個保持するフレームユニット３００、がある。【００５１】
なお、フレームユニット３００は、本体フレーム３１０の上面両側と下面両側とに、上下連結機構となる面ファスナ３１１が装着されている。また、本体フレーム３１０の下面中央には、フレーム凹部となるフレーム貫通孔(図示せず)が形成されている。本体フレーム３１０の上面中央には、フレーム凸部となる凸部材３１４が装着されている。【００５２】
そこで、本実施の形態のタバコ陳列システム１０００では、図４に示すように、横幅が同一の複数のフレームユニット３００を上下方向に設置すると、その複数のフレームユニット３００が面ファスナ３１１により連結される。このとき、フレーム貫通孔と凸部材３１４とが係合する。【００５３】
上述のようなタバコ陳列システム１０００は、通常は販売店舗のカウンタ(図示せず)上に設置される。しかし、カウンタがない場所への設置のため、タバコ陳列システム１０００は、図６に示すように、さらにストッカユニット４００やテーブルユニット４１０も有する。【００５４】
ストッカユニット４００は、少なくとも上面が平坦で前面が開閉自在なボックス状に形成されている。テーブルユニット４１０は、上面が平坦で上下方向に扁平なボックス状に形成されている。【００５５】
テーブルユニット４１０は、ユニットボックス４１１にテーブル部材４１２が前後方向にスライド自在に収容されている。このため、テーブル部材４１２を前方に突出させて作業に利用することができる。【００５６】
そして、前述のようにフレームユニット３００は左右寸法が二種類なので、上述のストッカユニット４００とテーブルユニット４１０とは、フレームユニット３００に対応した二種類の左右寸法に形成されている。このため、使用するフレームユニット３００に対応してストッカユニット４００やテーブルユニット４１０も組み合わせることができる。【００５７】
さらに、トレーユニット２００は前後長が二種類なので、上述のストッカユニット４００とテーブルユニット４１０とは、前後長が最大のトレーユニット２００に対応した前後長に形成されている。【００５８】
従って、何れのトレーユニット２００を利用する場合にも、トレーユニット２００がストッカユニット４００より外側に突出するようなことがない。上述のようなストッカユニット４００を利用することにより、カウンタ(図示せず)などがない場所にも、タバコ陳列システム１０００を適正な状態に設置することができる。【００５９】
そこで、上述のような構造のタバコ陳列システム１０００をシミュレートするデータ処理装置８００では、フレームユニット３００の種類ごとのタバコパックＴＰの陳列状態を模式したユニット画像ＵＰをデータ記憶部８１０が記憶している。【００６０】
ただし、複数種類のフレームユニット３００の少なくとも一部は複数種類の陳列状態が規定されている。このため、データ記憶部８１０は、複数種類の陳列状態を模式した複数種類のユニット画像ＵＰを記憶している。【００６１】
より詳細には、タバコ陳列システム１０００は、図４ないし図６に示すように、基本的にはフレームユニット３００に装着したトレーユニット２００にマガジンユニット１００を装着し、そこにタバコパックＴＰを収容する。【００６２】
このため、フレームユニット３００の前面形状を模式したユニット画像ＵＰは、図８に示すように、タバコパックＴＰがマガジンユニット１００により左右に五列に収容されたトレーユニット２００が上下に三段に装着された使用状態のユニット画像ＵＰａ、タバコパックＴＰがマガジンユニット１００により左右に五列に収容されたトレーユニット２００が上下に二段に装着された使用状態のユニット画像ＵＰｂ、タバコパックＴＰがマガジンユニット１００により左右に三列に収容されたトレーユニット２００が上下に三段に装着された使用状態のユニット画像ＵＰｃ、タバコパックＴＰがマガジンユニット１００により左右に三列に収容されたトレーユニット２００が上下に二段に装着された使用状態のユニット画像ＵＰｄ、として各々のユニットデータＵＤに設定されている。【００６３】
なお、タバコ陳列システム１０００は、前述のようにフレームユニット３００にトレーユニット２００で装着したマガジンユニット１００にタバコパックＴＰを収容する他、図４ないし図６に示すように、フレームユニット３００に装着したトレーユニット２００にタバコカートンＴＫを長手方向が前後方向の状態や左右方向の状態で収容することもできる。つまり、タバコ陳列システム１０００は、フレームユニット３００に複数種類の使用状態がある。【００６４】
そこで、本実施の形態のデータ処理装置８００では、図８および図９に示すように、複数種類の使用状態に対応した図柄が表記されている複数種類のユニット画像ＵＰｅ，ＵＰｆなども、対応するユニットデータＵＤに各々設定されている。【００６５】
さらに、タバコ陳列システム１０００は、図４および図６に示すように、フレームユニット３００やトレーユニット２００にボックスパックＢＰの簡易什器ＥＦなどを直接に載置することもできる。【００６６】
また、タバコ陳列システム１０００は、図７に示すように、フレームユニット３００に着脱自在に装着されるメッシュユニット４５０でボックスパックＢＰなどを陳列することもできる。【００６７】
そこで、本実施の形態のデータ処理装置８００では、図１０(ａ)に示すように、上述の簡易什器ＥＦを模式したユニット画像ＵＰｇ、図１０(ｂ)に示すように、メッシュユニット４５０を模式したユニット画像ＵＰｈ、も対応するユニットデータＵＤに各々設定されている。【００６８】
さらに、図１１に示すように、ストッカユニット４００の前面形状を模式した複数のユニット画像ＵＰ、図１２に示すように、テーブルユニット４１０の前面形状を模式した複数のテーブルユニット４１０のユニット画像ＵＰ、も対応するユニットデータＵＤに各々設定されている。【００６９】
なお、前述のようにストッカユニット４００にも二種類の左右寸法と二種類の上下寸法との組み合わせの四種類がある。このため、ストッカユニット４００のユニット画像ＵＰも、図１１に示すように、二種類の左右寸法と二種類の上下寸法との組み合わせのユニット画像ＵＰｉ〜ＵＰｌがある。【００７０】
同様に、テーブルユニット４１０も二種類の左右寸法があるため、テーブルユニット４１０のユニット画像ＵＰも、図１２に示すように、二種類の左右寸法のユニット画像ＵＰｍ，ＵＰｎがある。【００７１】
また、タバコ陳列システム１０００は、前述のように販売店舗のカウンタ(図示せず)の上面に設置することもできる。このため、データ記憶部８１０は、図１３に示すように、ユニット画像ＵＰと同一の縮尺でカウンタの前面形状を模式したカウンタ画像ＣＰも記憶している。【００７２】
そして、本実施の形態のデータ処理装置８００では、詳細には後述するが、レイアウト記憶部８１１は、タバコパックＴＰのサプライヤなどにより事前に登録されたレイアウトデータＬＤを記憶している。【００７３】
このため、画像表示部８１２は、各種のユニット画像ＵＰａ〜ＵＰｎやカウンタ画像ＣＰなどをレイアウトデータに対応してレイアウトし、図３に示すように、専用のレイアウトウインドウＬＷで表示画面に表示出力させる。【００７４】
さらに、例えば、上述のレイアウトウインドウＬＷの側方に、複数のユニット画像ＵＰａ〜ＵＰｎやカウンタ画像ＣＰなどがサンプル表示される。なお、レイアウトウインドウＬＷには、例えば、一辺が１０センチメートルに相当するグリッドが表示される。【００７５】
そして、ユニットレイアウト部８１４は、上述のように複数のユニット画像ＵＰがレイアウトされて表示出力された状態で、検知されたレイアウト操作に対応してユニット画像ＵＰやカウンタ画像ＣＰをレイアウト変更する。【００７６】
また、データ記憶部８１０は、図１４に示すように、ユニット画像ＵＰと同一の縮尺で人間の前面形状を模式した人型画像ＰＰも記憶している。このため、画像表示部８１２は、図３に示すように、人型画像ＰＰも表示画面に表示出力させる。【００７７】
そこで、操作検知部８１３は、人型画像ＰＰのレイアウト操作も検知する。ユニットレイアウト部８１４は、検知されたレイアウト操作に対応して人型画像ＰＰをレイアウトされているユニット画像ＵＰの前面ないし側方にレイアウトする。【００７８】
なお、上述の人型画像ＰＰは、作業者の頭部と胴体と脚部とを模式した本体部分ＰＰａと、人間の上肢を模式した左右一対の上肢部分ＰＰｂと、からなる。そして、この左右一対の上肢部分ＰＰｂは、本体部分ＰＰａの肩部に相当する位置を中心に回動自在となっている。【００７９】
そして、操作検知部８１３は、表示出力されている人型画像ＰＰの上肢部分ＰＰｂを回動させる入力操作も検知する。画像表示部８１２は、入力操作に対応して上肢部分ＰＰｂが回動された人型画像ＰＰを表示出力する。【００８０】
また、本実施の形態のデータ処理装置８００では、図１に示すように、前述のデータ記憶部８１０が記憶しているユニットデータＵＤに、ユニット画像ＵＰ、フレームユニット３００の種類ごとの左右方向の占有寸法である左右占有寸法、上下方向の占有寸法である上下占有寸法、とともに、作業負担である所用時間も設定されている。【００８１】
このため、結果算出部８１６は、ユニット画像ＵＰのレイアウトに対応して合計の左右占有寸法、合計の上下占有寸法、合計の所用時間、を各々算出し、結果出力部８１７は、算出された合計の左右占有寸法と上下占有寸法と所用時間とを表示出力する。【００８２】
なお、上述の上下左右の占有寸法は、例えば、フレームユニット３００の上下左右の外寸からなる。また、上述の所用時間は、例えば、対応するフレームユニット３００ごとの着脱の平均時間に対応して設定されている。【００８３】
このため、上述の所用時間は、図８(ａ)に示すように、三行五列の大型のフレームユニット３００のユニットデータＵＤでは五分、図８(ｄ)に示すように、二行三列の小型のフレームユニット３００のユニットデータＵＤでは三分、などと設定されている。【００８４】
また、本実施の形態のデータ処理装置８００は、上述した各部８１０〜８１７の他、図１に示すように、予定時間の入力操作を受け付ける時間入力部８２１と、入力操作された予定時間を一時保持する時間保持部８２２と、算出された合計の所用時間が一時保持されている予定時間を超過すると警告を報知出力する警告報知部８２３とを、さらに有する。【００８５】
また、本実施の形態のデータ処理装置８００は、左右方向の予定寸法である左右予定寸法の入力操作を受け付ける左右入力部８２５と、入力操作された左右予定寸法を一時保持する左右保持部８２６と、上下方向の予定寸法である上下予定寸法の入力操作を受け付ける上下入力部８２７と、入力操作された上下予定寸法を一時保持する上下保持部８２８とを、さらに有する。【００８６】
このため、警告報知部８２３は、算出された左右方向や上下方向の合計の占有寸法が、一時保持されている同一方向の予定寸法を超過しても警告を報知出力する。【００８７】
詳細には後述するが、上述した警告の報知出力は、例えば、後述する余裕時間や余裕寸法が赤色で点滅表示されることともに、表示デバイス８０１によるガイダンスメッセージのバルーン表示などで実行される。【００８８】
また、データ記憶部８１０は、タバコ陳列システム１０００の上下方向の許容寸法である上下許容寸法も記憶している。このため、警告報知部８２３は、算出された上下占有寸法が記憶されている上下許容寸法を超過しても警告を報知出力する。【００８９】
なお、上述の各種の入力部８２１，８２５，８２７は、図３に示すように、テキストデータの入力領域として表示画面に表示出力される。そこで、本実施の形態のデータ処理装置８００では、上述の時間入力部８２１の側方に、前述の合計の所用時間の表示部と、予定時間と所用時間との差分である余裕時間の表示部と、も用意されている。【００９０】
同様に、左右入力部８２５および上下入力部８２７の左右にも、合計の左右寸法および上下寸法の表示部と、予定寸法と現在寸法との差分である余裕寸法の表示部と、が用意されている。【００９１】
また、タバコ陳列システム１０００の複数種類のフレームユニット３００は、上下方向に連結できる組み合わせと連結できない組み合わせとがある。このため、データ記憶部８１０は、フレームユニット３００の種類ごとに上下方向に連結できる組み合わせが設定されているユニットデータＵＤを記憶している。【００９２】
そこで、ユニットレイアウト部８１４は、上下方向に連結できない組み合わせのレイアウト操作を無効とし、警告報知部８２３は、ユニット画像ＵＰが上下方向に連結できない組み合わせでレイアウト操作されると警告を報知出力する。【００９３】
上述のようなデータ処理装置８００の各部８１０〜は、前述のようにコンピュータユニット８０３がインストールされているコンピュータプログラム８６０に対応して各種の処理動作を実行することで論理的に実現されている。【００９４】
このようなコンピュータプログラム８６０は、例えば、アプリケーションソフトとしてＣＤ−Ｒ８５２などのデータ記憶媒体に格納された状態で(図示せず)、タバコパックＴＰのサプライヤから販売店舗などに提供される。【００９５】
なお、上述のようなコンピュータプログラム８６０がアプリケーションソフトとしてインストールされる販売店舗のデータ処理装置８００には、事前に(Operating System)が実装されている。このため、前述した各部８１０〜は、実際にはＯＳとアプリケーションソフトの協調動作により実現される。【００９６】
このようなアプリケーションソフトのコンピュータプログラム８６０は、例えば、図１５に示すように、リソースセット８６１とプログラムモジュールセット８７０からなる。【００９７】
リソースセット８６１は、前述のようにユニット画像ＵＰや所用時間からなるユニットデータＵＤ、カウンタ画像ＣＰ、人型画像ＰＰ、許容上下寸法、等の各種データからなる。【００９８】
プログラムモジュールセット８７０は、例えば、データ処理装置８００に、複数種類のフレームユニット３００ごとに各々の前面形状を所定の縮尺で模式したユニット画像ＵＰが左右方向と上下方向との占有寸法や所用時間などとともに設定されているユニットデータＵＤを記憶するユニット記憶処理と、タバコ陳列システム１０００を形成している複数のフレームユニット３００等のレイアウトデータＬＤを記憶するレイアウト記憶処理と、を実行させる記憶処理モジュール８７１、記憶されているレイアウトデータＬＤに対応したレイアウトで複数のユニット画像ＵＰを表示画面に表示出力させる画像表示処理を実行させる表示処理モジュール８７２、表示出力されているユニット画像ＵＰの入力デバイス８０２によるレイアウト操作を検知する操作検知処理を実行させる検知処理モジュール８７３、検知されたレイアウト操作に対応して表示デバイス８０１の表示画面に表示出力されるユニット画像ＵＰをレイアウト変更するユニットレイアウト処理を実行させるレイアウト処理モジュール８７４、ユニット画像ＵＰのレイアウトに対応して合計の占有寸法と合計の所用時間とを算出する結果算出処理を実行させる算出処理モジュール８７５、算出された合計の占有寸法と合計の所用時間とを表示画面に表示出力する結果出力処理を実行させる出力処理モジュール８７６、等の各種のプログラムモジュールからなる。【００９９】
上述のような構成において、本実施の形態のデータ処理装置８００およびタバコ陳列システム１０００の使用方法を以下に説明する。まず、本実施の形態のタバコ陳列システム１０００では、四種類のフレームユニット３００、四種類のトレーユニット２００、二種類のマガジンユニット１００、等を所望により自在に組み合せることができる。【０１００】
このため、本実施の形態のタバコ陳列システム１０００は、設置する空間に対応した外形とすることができ、空間を有効に利用することができる。特に、タバコパックＴＰを三列に保持する幅狭のフレームユニット３００と五列に保持する幅広のフレームユニット３００とがあるので、設置スペースの左右寸法に良好に対応することができる。【０１０１】
さらに、タバコパックＴＰを三行に保持する背高のフレームユニット３００と二行に保持する背低のフレームユニット３００とがあるので、設置スペースの上下寸法にも良好に対応することができる。【０１０２】
そこで、例えば、タバコ陳列システム１０００の導入を要望する販売店舗では、設置スペースの上下左右の寸法を測定し、タバコパックＴＰの陳列したい個数や収容したい総数などの要求とともに、サプライヤに通達する。【０１０３】
すると、そのサプライヤでは、例えば、データ処理装置８００と同様なシステム(図示せず)を利用して、販売店舗の設置スペースや要求に対応したタバコ陳列システム１０００のレイアウトデータＬＤを生成する。【０１０４】
そして、そのレイアウトデータＬＤを、前述のアプリケーションソフトとともにＣＤ−Ｒ８５２に格納する。さらに、レイアウトデータＬＤに対応してユニット画像ＵＰがレイアウトされた画像データを、タバコ陳列システム１０００の組立説明書(図示せず)として印刷出力する。【０１０５】
つぎに、生成されたレイアウトデータＬＤに対応した各種のフレームユニット３００等を、上述のＣＤ−Ｒ８５２および組立説明書とともに販売店舗に提供する。この販売店舗では、提供された組立説明書を参照して各種のフレームユニット３００等でタバコ陳列システム１０００を構築する。【０１０６】
このように構築されたタバコ陳列システム１０００は、従来の固定構造のシステムフレーム(図示せず)とは相違して、売場寸法やタバコパックＴＰの陳列個数や収容個数など、販売店舗の各種の要求に充分に対応することができる。このため、最良の売場を構築することができる。【０１０７】
ただし、上述のようにタバコ陳列システム１０００を導入した販売店舗が改装するときに、売場寸法やタバコパックＴＰの陳列個数などの店舗要求が変化するようなことがある。【０１０８】
しかし、このような場合でも、タバコ陳列システム１０００は、従来の固定構造のシステムフレーム(図示せず)とは相違して、フレームユニット３００の組み換えによる構造変更により、店舗要求の変化に対応することができる。【０１０９】
ただし、タバコ陳列システム１０００は、その構造の自由度が極度に高いため、販売店舗の不慣れな作業員では、構造変更に苦慮する可能性がある。このため、タバコ陳列システム１０００を構造変更する販売店舗では、そのフレームユニット３００のレイアウトを詳細に検討することが好ましい。【０１１０】
また、タバコ陳列システム１０００は、各種のフレームユニット３００を様々に組み換えることができる。このため、タバコ陳列システム１０００を構造変更する場合、その作業内容により所用時間は一様ではない。【０１１１】
このため、不慣れな作業員がトライ＆エラーでタバコ陳列システム１０００を構造変更すると、無駄に時間を消費することになる。タバコ陳列システム１０００を構造変更する場合、その作業内容に対応した所用時間を事前に確認できることが好ましい。【０１１２】
そこで、タバコ陳列システム１０００を構造変更する販売店舗の作業者は、サプライヤから提供されたＣＤ−Ｒ８５２を自前のコンピュータ装置に装填し、そのコンピュータプログラム８６０をインストールし、そのコンピュータプログラム８６０を起動することでコンピュータ装置をデータ処理装置８００として機能させる。【０１１３】
すると、このデータ処理装置８００では、図３および図１６に示すように、表示デバイス８０１の表示画面に、各種のユニット画像ＵＰａ〜ＵＰｎ、カウンタ画像ＣＰ、人型画像ＰＰ、レイアウトウインドウＬＷ、各種時間の入力部８２１および表示部、各種寸法の入力部８２５，８２７および表示部、等が表示出力される(ステップＳ１)。【０１１４】
このとき、初期画面では、レイアウトウインドウＬＷ、時間と寸法の入力部８２１，８２５，８２７および表示部、等は白紙状態として表示出力される。また、表示画面には、上述のコンピュータプログラム８６０とＯＳとの協調動作により、マウスカーソルＭＣも表示出力される。【０１１５】
このような状態で、例えば、所定操作によりレイアウトデータＬＤの読出が指定されると(ステップＳ２)、そのレイアウトデータＬＤが読み出され、図３に示すように、そのレイアウトデータＬＤに対応したレイアウトで、各種のユニット画像ＵＰが、表示デバイス８０１の表示画面のレイアウトウインドウＬＷに表示出力される(ステップＳ３)。【０１１６】
例えば、上述のようにサプライヤから販売店舗に提供されたタバコ陳列システム１０００の第一回目の構造変更の場合、レイアウトデータＬＤは最初の一つのみＣＤ−Ｒ８５２に登録されているので、このレイアウトデータＬＤが指定されて読み出されることになる。【０１１７】
この場合、表示デバイス８０１の表示画面のレイアウトウインドウＬＷには、サプライヤから提供されて販売店舗に実際に設置されているタバコ陳列システム１０００の模式画像が表示出力されることになる。【０１１８】
このような状態で、例えば、作業者が所望により構造変更の予定時間や上下左右の予定寸法を入力デバイス８０２で入力部８２１，８２５，８２７に入力操作すると(ステップＳ４〜Ｓ６)、その入力データが保持されて入力部８２１，８２５，８２７に表示出力される(ステップＳ７〜Ｓ９)。【０１１９】
例えば、タバコ陳列システム１０００を構造変更する販売店舗の予定時間が二時間の場合、入力デバイス８０２により時間入力部８２１に「02時間00分」なるテキストデータが入力操作されて表示出力される。【０１２０】
また、販売店舗でのタバコ陳列システム１０００の新規の設置場所の左右予定寸法が１２０センチメートルの場合、左右入力部８２５に「120」なるテキストデータが入力操作されて表示出力される。【０１２１】
同様に、販売店舗でのタバコ陳列システム１０００の新規の設置場所の上下予定寸法が１４０センチメートルの場合、上下入力部８２７に「140」なるテキストデータが入力操作されて表示出力される。【０１２２】
また、作業者が所望によりマウスカーソルＭＣによるドラッグ＆ドロップなどで、レイアウトウインドウＬＷに表示出力されているユニット画像ＵＰやカウンタ画像ＣＰをレイアウト操作すると、これを検知したデータ処理装置８００では(ステップＳ１０)、そのレイアウト操作が適正か判定される(ステップＳ１１)。【０１２３】
例えば、図３に示すように、レイアウトウインドウＬＷの最下部には、フレームユニット３００やストッカユニット４００のユニット画像ＵＰおよびカウンタ画像ＣＰはレイアウトすることができる。【０１２４】
さらに、ストッカユニット４００のユニット画像ＵＰの直上にストッカユニット４００のユニット画像ＵＰをレイアウトすることもできる。また、ストッカユニット４００のユニット画像ＵＰおよびカウンタ画像ＣＰの直上に、テーブルユニット４１０やフレームユニット３００のユニット画像ＵＰをレイアウトすることもできる。そして、フレームユニット３００のユニット画像ＵＰの直上にはフレームユニット３００のユニット画像ＵＰをレイアウトすることができる。【０１２５】
しかし、カウンタ画像ＣＰは、最下部以外にはレイアウトできない。また、ストッカユニット４００のユニット画像ＵＰはフレームユニット３００のユニット画像ＵＰの直上にはレイアウトできない。【０１２６】
さらに、テーブルユニット４１０のユニット画像ＵＰは、カウンタ画像ＣＰまたはストッカユニット４００のユニット画像ＵＰとフレームユニット３００のユニット画像ＵＰとの中間以外にはレイアウトできない。上述のようなレイアウトの可否は、例えば、ユニットデータＵＤやカウンタ画像ＣＰなどに、属性データとして個々に設定されている。【０１２７】
そこで、作業者により不能なレイアウト操作が実行されても(ステップＳ１１−Ｎ)、そのレイアウト操作は無視され、例えば、「このユニットを、このように配置することはできません。このユニットは…」などのガイダンスメッセージがレイアウト警告としてバルーン表示などで報知出力される(ステップＳ１２)。【０１２８】
一方、作業者により可能なレイアウト操作が実行されると(ステップＳ１１−Ｙ)、そのレイアウト操作に対応してレイアウトデータＬＤが生成され、レイアウトウインドウＬＷにカウンタ画像ＣＰやユニット画像ＵＰがレイアウト表示される(ステップＳ１３)。【０１２９】
なお、上述のようにレイアウトウインドウＬＷに表示出力されているユニット画像ＵＰ等をレイアウト操作する場合、例えば、無用なユニット画像ＵＰをレイアウトウインドウＬＷの空白や外側に一時的に配置しておくことができる。【０１３０】
販売店舗が所有するタバコ陳列システム１０００の全部のフレームユニット３００のユニット画像ＵＰがレイアウトウインドウＬＷに表示出力されている場合、そのレイアウトのタバコ陳列システム１０００に追加できるフレームユニット３００は販売店舗に残存していないことになる。【０１３１】
そこで、レイアウトウインドウＬＷの外側のユニット画像ＵＰはブラックアウト表示され、そのブラックアウト表示されているユニット画像ＵＰはレイアウトウインドウＬＷにレイアウト操作できない。【０１３２】
従って、データ処理装置８００では、販売店舗が所有するフレームユニット３００の種類や個数に相反するユニット画像ＵＰがレイアウトウインドウＬＷにレイアウト操作されると、「このユニットは所有されておりません、必要ならば購入してください。注文は…」「このユニットは現在のレイアウトで全て使用されております。必要ならば購入してください。注文は…」などのガイダンスメッセージがレイアウト警告としてバルーン表示などで報知出力される(ステップＳ１２)。【０１３３】
一方、レイアウトウインドウＬＷに表示出力されているユニット画像ＵＰが外側にレイアウト操作されると、対応するユニット画像ＵＰがハイライト表示される。この場合は、ハイライト表示されているユニット画像ＵＰに対応したフレームユニット３００は販売店舗に存在していることになる。【０１３４】
そこで、レイアウトウインドウＬＷの外側でハイライト表示されているユニット画像ＵＰは、レイアウトウインドウＬＷにレイアウト操作することができる。なお、カウンタは販売店舗に設置されていてサプライヤから提供されないので、カウンタ画像ＣＰは常時ハイライト表示されており、レイアウトウインドウＬＷにレイアウト操作することができる。【０１３５】
本実施の形態のデータ処理装置８００では、例えば、上述のようにレイアウト操作したカウンタ画像ＣＰを、入力デバイス８０２の入力操作などにより左右方向に伸縮させることができる。このため、販売店舗に実際に設置されているカウンタにカウンタ画像ＣＰを対応させることができる。【０１３６】
また、レイアウトウインドウＬＷは、やはりマウスカーソルＭＣによる入力操作などで上下左右の寸法を可変することができる。そして、レイアウトウインドウＬＷにレイアウト操作されたユニット画像ＵＰは、そのレイアウトウインドウＬＷに対応した縮尺で表示出力される。【０１３７】
また、本実施の形態のデータ処理装置８００では、上述のようなユニット画像ＵＰのレイアウト操作とは別個の処理動作として、図３に示すように、人型画像ＰＰをレイアウトウインドウＬＷにレイアウト操作することもできる。【０１３８】
その場合、所望により人型画像ＰＰの上肢部分ＰＰｂを回動操作することもできる。このため、ユニット画像ＵＰをレイアウト操作するときに、標準的な作業者の身長や作業範囲と比較することができる。【０１３９】
そして、前述のようにレイアウトウインドウＬＷにユニット画像ＵＰがレイアウトされると、そのユニット画像ＵＰに対応したユニットデータＵＤの作業負担である所用時間が合計される。【０１４０】
さらに、そのユニットデータＵＤの左右寸法と上下寸法とが、ユニット画像ＵＰのレイアウトに対応して各々合計され、左右現在寸法と上下現在寸法とが算出される(ステップＳ１４)。この算出された所用時間と左右現在寸法と上下現在寸法とが表示出力される(ステップＳ１５)。【０１４１】
例えば、所用時間が五分、左右寸法が３５センチメートル、上下寸法が２５センチメートル、のフレームユニット３００のユニット画像ＵＰが、左右方向に三列、上下方向に六行、に配列された場合、時間入力部８２１に隣接した所用時間の表示部に「01時間30分」、左右入力部８２５に隣接した左右現在寸法の表示部に「105」、上下入力部８２７に隣接した上下現在寸法の表示部に「150」、なるテキストデータが表示される。【０１４２】
なお、前述のように予定時間が入力操作されて一時保持されていた場合は(ステップＳ１６)、その予定時間から所用時間を減算した結果が余裕時間として算出される(ステップＳ１７)。【０１４３】
そして、その余裕時間が正値の場合は(ステップＳ１８−Ｎ)、そのまま表示出力される(ステップＳ２０)。一方、余裕時間が負値の場合は(ステップＳ１８−Ｙ)、例えば、余裕時間が赤色で点滅表示されるとともに、「予定時間をオーバーしています」などのガイダンスメッセージが時間警告としてバルーン表示などで報知出力される(ステップＳ１９)。【０１４４】
さらに、図１７に示すように、前述のように左右予定寸法が入力操作されて一時保持されていた場合は(ステップＳ２１−Ｙ)、その左右予定寸法から左右現在寸法を減算した結果が左右余裕寸法として算出される(ステップＳ２２)。【０１４５】
その左右余裕寸法が正値の場合は(ステップＳ２３−Ｎ)、そのまま表示出力される(ステップＳ２５)。一方、左右余裕寸法が負値の場合は(ステップＳ２３−Ｙ)、例えば、左右余裕寸法が赤色で点滅表示されるとともに、「左右寸法が予定をオーバーしています」などのガイダンスメッセージが左右警告としてバルーン表示などで報知出力される(ステップＳ２４)。【０１４６】
また、上下現在寸法が上下許容寸法を超過しているかが判定され(ステップＳ２６)、超過しているときは、上下現在寸法が赤色で点滅表示されるとともに、「上下寸法が安全範囲をオーバーしています」などのガイダンスメッセージが上下警告としてバルーン表示などで報知出力される(ステップＳ３０)。【０１４７】
一方、上下現在寸法が上下許容寸法を超過していないとき(ステップＳ２６−Ｎ)、前述のように上下予定寸法が入力操作されて一時保持されていた場合は(ステップＳ２７−Ｙ)、その上下予定寸法から上下現在寸法を減算した結果が上下余裕寸法として算出される(ステップＳ２８)。【０１４８】
その上下余裕寸法が正値の場合は(ステップＳ２９−Ｎ)、そのまま表示出力される(ステップＳ３１)。一方、上下余裕寸法が負値の場合は(ステップＳ２９−Ｙ)、例えば、上下余裕寸法が赤色で点滅表示されるとともに、「上下寸法が予定をオーバーしています」などのガイダンスメッセージが上下警告としてバルーン表示などで報知出力される(ステップＳ３０)。【０１４９】
例えば、前述のように、予定時間が「02時間00分」、左右予定寸法が「120」、上下予定寸法が「140」、と設定された状態で、レイアウト操作により、所用時間が「01時間30分」、左右現在寸法が「105」、上下現在寸法が「150」、と算出された場合、余裕時間は「00時間30分」、左右余裕寸法は「15」、として正値で表示出力されるが、上下余裕寸法は「−10」なる負値として警告ガイダンスとともに赤色で点滅表示される。【０１５０】
なお、上述のように時間や寸法の警告が報知出力された状態でも、図１６に示すように、予定時間や予定寸法を再度入力したり(ステップＳ４〜Ｓ９)、ユニット画像ＵＰをレイアウト変更することにより(ステップＳ１０〜Ｓ１３)、警告が報知出力されない状態とすることもできる(ステップＳ１４〜Ｓ３１)。【０１５１】
例えば、前述のように上下予定寸法が「140」のときに、上下寸法が２５センチメートルのフレームユニット３００のユニット画像ＵＰが上下方向に六行に配列され、上下現在寸法が「150」、上下余裕寸法が「−10」となったときでも、その最上位のユニット画像ＵＰが削除されれば、上下現在寸法が「125」、上下余裕寸法が「15」となって警告ガイダンスも消去される。【０１５２】
また、表示画面のリセットアイコンが入力操作されると(ステップＳ３２−Ｙ)、入力操作された予定時間やレイアウト操作されたユニット画像ＵＰなどがリセットされる(ステップＳ３３)。【０１５３】
そして、上述のような入力操作の結果としてユニット画像ＵＰの所望のレイアウトを確定できた作業者は、例えば、所定操作によりレイアウトウインドウＬＷの表示画像を印刷出力することができる(図示せず)。【０１５４】
この場合、販売店舗では印刷結果を参照してタバコ陳列システム１０００の構造変更を実行する。この構造変更の所用時間は確認されているので、タバコ陳列システム１０００の構造変更を計画的に実行することができる。【０１５５】
なお、上述のようにデータ処理装置８００でユニット画像ＵＰの所望のレイアウトを確定できた作業者は、図３に示すように、「保存する」なるアイコンを入力操作することもできる。【０１５６】
すると、図１７に示すように、これを検知したデータ処理装置８００は(ステップＳ３４)、例えば、新規のレイアウトデータＬＤを現在日時やシリアルナンバなどとともに保存する(ステップＳ３５)。【０１５７】
このため、上述の新規レイアウトに対応して構築したタバコ陳列システム１０００を、再度構造変更する場合には、上述の新規のレイアウトデータＬＤを指定し(ステップＳ２)、ユニット画像ＵＰをレイアウト変更することができる(ステップＳ４〜Ｓ３５)。【０１５８】
本実施の形態のタバコ陳列システム１０００は、前述のように複数種類のフレームユニット３００を販売店舗で自由に組み換えることにより、上下左右の寸法などを自在に変更することができる。【０１５９】
このため、販売店舗が改装するような場合でも、新規の売場を理想的に構築することができる。しかし、換言すると、タバコ陳列システム１０００を利用する販売店舗では、新規の設置場所の上下左右の寸法に対応するように、フレームユニット３００等のレイアウトを決定する必要がある。【０１６０】
さらに、タバコ陳列システム１０００を構造変更する販売店舗では、その構造変更の内容による所用時間も考慮する必要がある。しかし、タバコ陳列システム１０００は、フレームユニット３００等のレイアウトの自由度が極度に高度である。このため、全体の占有寸法と構造変更の所用時間まで考慮しながら最適なレイアウトを決定することは容易ではない。【０１６１】
しかし、本実施の形態のデータ処理装置８００では、上述のようにタバコ陳列システム１０００の現在の構造が複数のユニット画像ＵＰにより再現されて表示出力され、その表示出力されているユニット画像ＵＰを入力デバイス８０２によりレイアウト操作することができる。【０１６２】
このため、販売店舗の改装などのためにタバコ陳列システム１０００を構造変更する場合でも、その新規構造を事前に詳細に検討することができ、最適な新規構造を生成することができる。【０１６３】
しかも、ユニット画像ＵＰのレイアウト操作により、実際のタバコ陳列システム１０００の構造変更の作業負担が算出されて表示出力される。このため、タバコ陳列システム１０００を構造変更する場合に、その構造変更の作業負担も事前に簡単に確認することができる。【０１６４】
特に、データ処理装置８００は、タバコ陳列システム１０００の構造変更の作業負担として、所用時間を算出して表示出力する。このため、販売店舗では所望の時間に計画的にタバコ陳列システム１０００を構造変更するようなことができる。【０１６５】
なお、コンビニエンスストアなどの販売店舗では、各種の作業ごとに時間が制限されている。従って、タバコ陳列システム１０００を設置している販売店舗がコンビニエンスストアなどの場合、その構造変更の所用時間を事前に確認できることは重要である。【０１６６】
しかも、データ処理装置８００は、ユニット画像ＵＰがレイアウト操作されるごとに合計の所用時間が算出されて表示出力される。このため、作業者は所望のユニット画像ＵＰをレイアウト操作しながら、その構造変更の所用時間をリアルタイムに確認することができる。従って、制限されている予定時間で変更できる新規構造を、簡単に生成するようなことができる。【０１６７】
特に、データ処理装置８００は、作業者の所望により予定時間を入力操作することができ、その予定時間の側方に所用時間が表示出力される。しかも、予定時間から所用時間を減算した余裕時間も、さらに側方に表示出力される。【０１６８】
このため、作業者は所望のユニット画像ＵＰをレイアウト操作しながら、その所用時間を予定時間とリアルタイムに比較することができ、余裕時間をリアルタイムに確認することができる。【０１６９】
特に、余裕時間が負値となると、時間警告が報知出力される。このため、作業者はユニット画像ＵＰをレイアウト操作しているときに、所用時間が予定時間を超過したことをリアルタイムに確認することができる。【０１７０】
そして、このように時間警告が報知出力されているときでも、ユニット画像ＵＰのレイアウト変更や予定時間の編集操作を実行することができ、これで余裕時間が正値となると時間警告の報知出力が解除される。【０１７１】
このため、作業者は予定時間を超過しないフレームユニット３００のレイアウトや、所望のタバコ陳列システム１０００の構造変更の所用時間などを、リアルタイムに検討することができる。【０１７２】
しかも、本実施の形態のデータ処理装置８００では、ユニット画像ＵＰがレイアウト操作されるごとに、実際のタバコ陳列システム１０００での占有寸法も算出されて表示出力される。【０１７３】
このため、所望のユニット画像ＵＰをレイアウト操作しながら、その設置に必要な寸法をリアルタイムに確認することができる。従って、販売店舗の新規の設置スペースを最大限に有効利用するタバコ陳列システム１０００を構築する作業などを良好に支援することができる。特に、占有寸法の算出が上下方向と左右方向とで個々に実行されるので、新規の設置場所に最適に対応したレイアウトを検討することができる。【０１７４】
さらに、作業者の所望により上下および左右の予定寸法を入力操作することができ、その予定寸法の側方に上下および左右の現在寸法が表示出力される。しかも、予定寸法から現在寸法を減算した余裕寸法も、さらに側方に表示出力される。【０１７５】
このため、作業者は所望のユニット画像ＵＰをレイアウト操作しながら、その占有寸法を予定寸法とリアルタイムに比較することができ、余裕寸法をリアルタイムに確認することができる。【０１７６】
特に、余裕寸法が負値となると、寸法警告が報知出力される。このため、作業者はユニット画像ＵＰをレイアウト操作しているときに、現在寸法が予定寸法を超過したことをリアルタイムに確認することができる。【０１７７】
そして、このように寸法警告が報知出力されているときでも、ユニット画像ＵＰのレイアウト変更や予定寸法の編集操作を実行することができ、これで余裕寸法が正値となると寸法警告の報知出力が解除される。【０１７８】
このため、作業者は現場に問題なく設置できるフレームユニット３００のレイアウトや、所望のタバコ陳列システム１０００の設置に必要なスペースなどを、リアルタイムに検討することができる。【０１７９】
しかも、データ処理装置８００は、作業者により自由に設定される上下予定寸法とは別個に、安全性の観点から事前に決定されている上下許容寸法も記憶している。そして、上下現在寸法が上下予定寸法を超過しなくとも上下許容寸法を超過すると、専用の寸法警告が報知出力される。【０１８０】
このため、タバコ陳列システム１０００の安全な上下寸法を作業者に簡単かつ確実に認識させることができ、タバコ陳列システム１０００が危険な寸法に構築されて利用されることを防止できる。【０１８１】
また、タバコ陳列システム１０００は、複数種類のフレームユニット３００等に上下方向に連結できる組み合わせと連結できない組み合わせとがある。そして、データ処理装置８００では、上下方向に連結できない組み合わせのユニット画像ＵＰのレイアウト操作を無効とし、ユニット画像ＵＰが上下方向に連結できない組み合わせでレイアウト操作されるとレイアウト警告を報知出力する。【０１８２】
このため、フレームユニット３００等の連結できない組み合わせを作業者に簡単かつ確実に認識させることができ、タバコ陳列システム１０００が危険な構造に構築されて利用されることを防止できる。【０１８３】
従って、作業者はタバコ陳列システム１０００の全体の占有寸法と作業負担まで考慮しながらフレームユニット３００等の最適なレイアウトを決定することができる。このため、データ処理装置８００は、タバコ陳列システム１０００を最少の作業負担で最適な新規構造に変更する作業などを良好に支援することができる。【０１８４】
また、タバコ陳列システム１０００は、販売店舗のカウンタの上面に設置されることも多々ある。しかし、データ処理装置８００は、ユニット画像ＵＰと同一の縮尺でカウンタの前面形状を模式したカウンタ画像ＣＰも表示画面に表示出力してレイアウト操作することができる。このため、カウンタの上面にタバコ陳列システム１０００を設置する場合でも、作業者は良好に完成イメージを確認することができる。【０１８５】
特に、上述のようにカウンタ画像ＣＰをユニット画像ＵＰとともにレイアウト操作すると、カウンタの上下寸法はタバコ陳列システム１０００の上下寸法として反映されるが、左右寸法や所用時間は反映されない。このため、カウンタの上面にタバコ陳列システム１０００を設置する場合に、検討が必要な情報のみを作業者に提供することができる。【０１８６】
しかも、ユニット画像ＵＰは複数種類のフレームユニット３００等の前面形状を模式しているので、作業者はタバコ陳列システム１０００の完成イメージをリアルタイムに直感的に確認することができる。【０１８７】
なお、タバコ陳列システム１０００では、フレームユニット３００の種類ごとにタバコパックＴＰやタバコカートンＫＴなどの陳列状態が規定されている。そして、データ処理装置８００は、陳列状態を模式したユニット画像ＵＰを表示出力してレイアウト操作することができる。このため、作業者はフレームユニット３００の寸法が同一でもタバコパックＴＰなどの陳列状態が相違する状態を、簡単かつ確実に確認することができる。【０１８８】
さらに、タバコ陳列システム１０００では、フレームユニット３００やトレーユニット２００にボックスパックＢＰの簡易什器ＥＦなどを直接に載置することもできる。また、メッシュユニット４５０などを利用することもできる。【０１８９】
しかし、データ処理装置８００は、上述のような複数種類の使用状態の図柄が表記されているユニット画像ＵＰa〜ＵＰｈも表示出力してレイアウト操作することができる。このため、作業者は各種ユニット４５０等を利用する場合でもタバコ陳列システム１０００の完成イメージを良好に確認することができる。【０１９０】
また、本実施の形態のデータ処理装置８００は、ユニット画像ＵＰと同一の縮尺で人間の前面形状を模式した人型画像ＰＰも、表示画面に表示出力してレイアウト操作することができる。【０１９１】
このため、作業者は構造変更したタバコ陳列システム１０００の上下寸法が過剰でないかなども確認することができ、新規のタバコ陳列システム１０００の全体寸法などを直感的に確認することができる。【０１９２】
特に、人型画像ＰＰは、上肢部分ＰＰｂを入力操作により回動させることができる。このため、作業者は構造変更したタバコ陳列システム１０００の上下寸法が適正かなども、簡単かつ確実に確認することができる。【０１９３】
しかも、人型画像ＰＰは、左右一対の上肢部分ＰＰｂを有する。このため、人型画像ＰＰの左右の上肢部分ＰＰｂを水平に位置させることなどにより、構造変更したタバコ陳列システム１０００の左右寸法が適切かなども確認することができる。【０１９４】
なお、本発明は本実施の形態に限定されるものではなく、その要旨を逸脱しない範囲で各種の変形を許容する。例えば、上記形態ではタバコ陳列システム１０００がユニット部材としてフレームユニット３００を有し、これに対応してデータ処理装置８００が形成されていることを例示した。【０１９５】
しかし、タバコ陳列システム１０００が、ユニット部材としてウォールユニット５００を有してもよい。その場合、図１８に示すように、フレームユニット３００を利用することなくウォールユニット５００を利用してタバコ陳列システム１０００を構築することもできる。【０１９６】
そのウォールユニット５００としては、図１９に示すように、ベースウォール５００ａとパネルウォール５００ｂとがある。パネルウォール５００ｂは、複数を上下方向に連結することができ、ベースウォール５００ａの上端に連結することもできる。【０１９７】
そこで、所望の上下寸法のウォールユニット５００を形成することができる。そして、このようなウォールユニット５００にトレーアタッチメント６００でトレーユニット２００を装着することができる。【０１９８】
タバコ陳列システム１０００は、複数のウォールユニット５００を上下方向に連結して所望の上下寸法とすることができる。また、そのウォールユニット５００を左右方向に配列して所望の左右寸法とすることができる。【０１９９】
そして、上述のように上下左右に配列したウォールユニット５００の前面の所望の位置にトレーアタッチメント６００を装着し、そのトレーアタッチメント６００にトレーユニット２００を保持させることができる。そのトレーユニット２００にタバコカートンＴＫを直接に収容することもでき、マガジンユニット１００でタバコパックＴＰを収容することもできる。【０２００】
さらに、図１８に示すように、上述のように上下左右に配列したウォールユニット５００を、上下左右に配列したストッカユニット４００の上面に、テーブルユニット４１０などとともに設置することもできる。【０２０１】
また、ウォールユニット５００で構築したシステムとフレームユニット３００で構築したシステムとを並設してタバコ陳列システム１０００とすることもできる(図示せず)。【０２０２】
そして、上述のウォールユニット５００の前面形状を前述の縮尺で模式したユニット画像を、データ処理装置８００が表示画面に表示出力してレイアウト操作させてもよい(図示せず)。【０２０３】
また、上記形態ではフレームユニット３００などの構造部品でタバコ陳列システム１０００が構築され、そのフレームユニット３００などのユニット画像ＵＰがデータ処理装置８００で表示出力されてレイアウト操作されることを例示した。【０２０４】
しかし、タバコ陳列システム１０００には、図２０に示すように、組み合されたフレームユニット３００の内部や外部に複数種類の宣伝部材４２０が設置されることもある。【０２０５】
そこで、データ処理装置８００が、複数種類の宣伝部材４２０ごとに前面形状をユニット画像ＵＰと同一の縮尺で模式した宣伝部材画像が少なくとも所用時間とともに設定されている宣伝部材データも表示出力してレイアウト操作させ、そのレイアウトされたユニット画像ＵＰと宣伝部材画像とに対応して合計の所用時間を算出してもよい。この場合、販売店舗は宣伝部材４２０も考慮してタバコ陳列システム１０００の構造変更を検討することができる。【０２０６】
また、上記形態ではフレームユニット３００等の作業負担として、ユニットデータＵＤごとに単純に構造変更の所用時間が設定されていることを想定した。しかし、データ記憶部８１０が、複数種類のフレームユニット３００等の組み合わせごとに着脱の所用時間が作業負担として設定されているユニットデータＵＤを記憶しており、結果算出部８１６が、レイアウトが変更されたフレームユニット３００等の組み合わせの合計の所用時間を作業負担として算出してもよい。この場合、データ処理装置８００のデータ処理は複雑となるが、より正確に所用時間を算出することができる。【０２０７】
さらに、上記形態ではデータ処理装置８００が作業負担として一人の作業者による所用時間を算出することを例示した。しかし、データ処理装置が、構造変更の作業人数の入力操作を受け付ける人数入力部と、入力操作された作業人数を一時保持する人数保持部とを、さらに有し、結果算出部８１６が、合計の所用時間を作業人数で除算してもよい(図示せず)。【０２０８】
この場合、作業者の人数が判明しているならば、その人数での所用時間をデータ処理装置に算出させることができるので、より計画的にタバコ陳列システム１０００の構造変更を実行することができる。【０２０９】
ただし、実際にはタバコ陳列システム１０００の構造変更に最適な作業者の人数は限定される。例えば、１０００人の作業員でタバコ陳列システム１０００を構造変更しても、その所用時間は一人の場合の１／１０００にはならない。【０２１０】
そこで、上述の人数入力部が、所定の複数種類の作業人数の選択操作を受け付けてもよい。この場合、タバコ陳列システム１０００の構造変更に最適な作業者の人数として、「一人，二人，…五人」などが表示出力されて選定されるので、非現実的な人数が入力操作されて不適な所用時間が出力されることがない。【０２１１】
さらに、上述のような複数種類の作業人数ごとに表示部が用意されており、「一人で作業する場合の所用時間は××時間××分です」「二人で作業する場合の所用時間は××時間××分です」のように表示出力されてもよい。【０２１２】
また、上記形態ではタバコ陳列システム１０００がサプライヤから販売店舗に新規に導入されるときに、サプライヤが第一番目のレイアウトデータＬＤを生成して販売店舗に提供することを例示した。【０２１３】
しかし、タバコ陳列システム１０００の導入を予定している販売店舗に、前述のようなアプリケーションソフトがサプライヤから提供され、そのアプリケーションソフトをインストールしたデータ処理装置８００で販売店舗が第一番目のレイアウトデータＬＤを生成してもよい。【０２１４】
この場合、そのレイアウトデータＬＤに対応してサプライヤから販売店舗にフレームユニット３００等が提供されるので、そのフレームユニット３００等により販売店舗でタバコ陳列システム１０００が構築される。【０２１５】
さらに、上記形態では説明を簡単とするため、タバコ陳列システム１０００の構造変更に全部のフレームユニット３００等が利用されることを想定した。しかし、実際の構造変更では、一部のフレームユニット３００の使用を中止してバックヤードに保管するようなこともある。【０２１６】
そこで、このような場合には、データ処理装置８００が保管されているフレームユニット３００を認識し、次回の構造変更のときに、前述のようにレイアウトウインドウＬＷの外側のユニット画像ＵＰをハイライト表示させればよい。【０２１７】
この場合、現在のタバコ陳列システム１０００に追加できるフレームユニット３００があることを作業者が一目で認識することができ、そのユニット画像ＵＰをレイアウトウインドウＬＷにレイアウト操作して新規レイアウトの生成に簡単に利用することができる。【０２１８】
また、上記形態では同一寸法でもタバコパックＴＰやタバコカートンＴＫの陳列状態が相違するユニット画像ＵＰが事前にデータ処理装置８００に登録されていて個々に表示出力されることを例示した。【０２１９】
しかし、ユニット画像が外形寸法ごとに一つのみ表示出力され、そのユニット画像の内部での陳列状態の模式画像が入力操作に対応して切換表示されてもよい。この場合、レイアウトしたユニット画像の全体寸法などは変更することなく、タバコパックＴＰやタバコカートンＴＫの陳列状態のみ変更させて検討するようなことができる。【０２２０】
さらに、上記形態ではユニット画像ＵＰは陳列状態の模式画像からなることを例示した。しかし、ユニット画像ＵＰが実際のフレームユニット３００等の写真データでもよく、模式画像と写真データとが切換表示されてもよい。この場合、よりリアルなタバコ陳列システム１０００の完成イメージを作業者に提供することができる。【０２２１】
また、上記形態ではレイアウトウインドウＬＷにグリッドのみ表示されていることを例示した。しかし、データ処理装置が、作業者によりデジタルカメラなどで撮像された店内の写真データの入力を受け付け、その写真データをレイアウトウインドウＬＷの背景として表示してもよい。この場合、タバコ陳列システム１０００が販売店舗に設置された状態を、さらにリアルに作業者に確認させることができる。【０２２２】
さらに、上記形態ではレイアウトウインドウＬＷにユニット画像ＵＰと同様にカウンタ画像ＣＰをレイアウト操作できることを例示した。しかし、所定の入力操作に対応してレイアウトウインドウＬＷの所定位置にカウンタ画像ＣＰをオンオフ表示してもよい(図示せず)。【０２２３】
また、上記形態ではカウンタ画像ＣＰの左右寸法のみ調整できることを例示した。しかし、実際のカウンタの上下寸法の入力操作などに対応してカウンタ画像ＣＰの上下寸法が調整されてもよい。【０２２４】
さらに、前述のように上下寸法が充分なタバコ陳列システム１０００では、顧客の注目度が上下位置により相違することが判明している。そこで、顧客の注目度の高低に対応した配色でレイアウトウインドウＬＷが表示出力されてもよい。【０２２５】
この場合、例えば、顧客の注目度が高い位置にボックスパックＢＰを収容する簡易什器ＥＦのユニット画像ＵＰｇを配置し、顧客の注目度が低い位置にタバコカートンＴＫを収容するフレームユニット３００のユニット画像ＵＰｆを配置する、などのレイアウト操作を容易に実施することができる。【０２２６】
また、上記形態ではタバコ陳列システム１０００の上下許容寸法が事前に規定されていてデータ処理装置８００に登録されていることを例示した。しかし、データ処理装置が、作業者の身長の入力操作を受け付ける身長入力部と、入力操作された身長を一時保持する身長保持部と、一時保持された身長から上下方向の適正寸法を算出する適正算出部とを、さらに有し(図示せず)、算出された合計の占有寸法が算出された適正寸法を超過すると不適警告を報知出力してもよい。この場合、作業者は構造変更したタバコ陳列システム１０００の上下寸法が、自身の身長に対応して適正かを簡単に確認することができる。【０２２７】
また、上述のように身長入力部と身長保持部とを有するデータ処理装置が、さらに、一時保持された身長に対応して表示画面に表示出力される人型画像ＰＰの縮尺を調整する人型調整部を有してもよい(図示せず)。【０２２８】
この場合、作業者は構造変更したタバコ陳列システム１０００の上下寸法が自身の身長に対応して適正かを、レイアウトしたユニット画像ＵＰと人型画像ＰＰとの相対関係で直感的に確認することができる。さらに、事前に複数種類の身長の人型画像ＰＰが用意されていてもよい。【０２２９】
さらに、上記形態では不透明な人型画像ＰＰがレイアウト操作されたユニット画像ＵＰの側方ないし前面にレイアウト操作できることを想定した。しかし、このような人型画像ＰＰが半透明に表示出力されてもよく、いわゆるマウス８４５の右クリックなどで表示がオンオフされてもよい。【０２３０】
また、上記形態ではデータ処理装置８００がユニット画像ＵＰのレイアウト操作に対応して、タバコ陳列システム１０００の作業負担と占有寸法とをリアルタイムに算出して表示出力することを例示した。しかし、作業者がユニット画像ＵＰをレイアウト操作してから確定を入力操作したときに、データ処理装置が作業負担や占有寸法を算出して表示出力してもよい。【０２３１】
このような算出とデータ出力とがリアルタイムに逐次実行される場合は、作業者の操作性を向上させることができ、入力操作に対応して実行される場合は、データ処理装置の処理負担を軽減することができる。【０２３２】
さらに、前述のように複数種類のフレームユニット３００の少なくとも一部は定型サイズのタバコパックＴＰを前後方向に配列して収容する配列個数が規定されている。一方、フレームユニット３００の上下左右でのタバコパックＴＰの配列個数はユニット画像ＵＰで確認できるが、前後方向での配列個数は確認できない。【０２３３】
そこで、データ処理装置が、配列個数が表記されたユニット画像ＵＰを記憶していてもよい(図示せず)。この場合、フレームユニット３００の前後方向でのタバコパックＴＰの配列個数を、表示出力されるユニット画像ＵＰで確認することができる。【０２３４】
また、上記形態では販売店舗のコンピュータ装置をデータ処理装置８００として機能させるコンピュータプログラム８６０が、ＣＤ−Ｒ８５２などのデータ記憶媒体によりサプライヤから提供されることを例示した。しかし、このようなコンピュータプログラム８６０が、いわゆるインターネットなどによるデータ通信で提供されてもよい。【０２３５】
さらに、上述のデータ処理装置８００と同様な機能のサービスが、サプライヤのサーバなどのデータ処理装置により、販売店舗のコンピュータ装置などのユーザ端末装置に提供されてもよい。【０２３６】
その場合、図２１に示すように、サプライヤのデータ処理装置９００は、前述のようなタバコ陳列システム１０００の構造変更の支援に利用されるウェブサイトＷＳを、インターネットＩＮによりユーザ端末装置ＵＴに提供する。【０２３７】
そのデータ処理装置９００は、複数種類のフレームユニット３００等ごとに各々の前面形状を所定の縮尺で模式したユニット画像ＵＰが所用時間などの作業負担とともに設定されているユニットデータＵＤを記憶するユニット記憶部であるデータ記憶部９１０と、タバコ陳列システム１０００を形成している複数のフレームユニット３００等のレイアウトデータＬＤを作業者ごとに記憶するレイアウト記憶部９１１と、ウェブサイトＷＳを閲覧するユーザ端末装置による作業者のログインを受け付けるログイン受付部(図示せず)と、ログインされた作業者のレイアウトデータＬＤに対応したレイアウトで複数のユニット画像ＵＰをウェブサイトＷＳの表示画面に表示出力させる画像表示部９２０と、表示出力されているユニット画像ＵＰのユーザ端末装置によるレイアウト操作を検知する操作検知部９３０と、検知されたレイアウト操作に対応して表示画面に表示出力されるユニット画像ＵＰをレイアウト変更するユニットレイアウト部９４０と、レイアウト変更に対応してタバコ陳列システム１０００の構造変更の作業負担を算出する結果算出部９５０と、算出された作業負担をウェブサイトＷＳに表示出力する結果出力部９６０と、を最低限有すればよい。【０２３８】
この場合、タバコ陳列システム１０００を販売店舗に提供するサプライヤが、そのタバコ陳列システム１０００の構造変更を支援する機能を、ウェブサイトＷＳにより販売店舗に提供することができる。
【図１】
2008108095.tif 000003
【図２】
2008108095.tif 000004
【図３】
2008108095.tif 000005
【図４】
2008108095.tif 000006
【図５】
2008108095.tif 000007
【図６】
2008108095.tif 000008
【図７】
2008108095.tif 000009
【図８】
2008108095.tif 000010
【図９】
2008108095.tif 000011
【図１０】
2008108095.tif 000012
【図１１】
2008108095.tif 000013
【図１２】
2008108095.tif 000014
【図１３】
2008108095.tif 000015
【図１４】
2008108095.tif 000016
【図１５】
2008108095.tif 000017
【図１６】
2008108095.tif 000018
【図１７】
2008108095.tif 000019
【図１８】
2008108095.tif 000020
【図１９】
2008108095.tif 000021
【図２０】
2008108095.tif 000022
【図２１】
2008108095.tif 000023
【国際調査報告】
2008108095.tif 000024
2008108095.tif 000025
2008108095.tif 000026
2008108095.tif 000027